(57)【要約】  【課題】記録装置を構成する各部材を精度良く位置決め支持して記録画像の高品位化を図ることができ、シャーシに加わる荷重負荷を低減することでコストダウンを図ることができる記録装置を提供する。  【解決手段】記録媒体２４、６３を副走査方向に搬送する搬送ローラ２と、記録手段８を搭載して主走査するキャリッジ６及び搬送ローラに従動して回転するピンチローラ３をシャーシ１に支持してなる記録部ユニット２０と、記録手段と対向する位置で記録媒体を支持するプラテン１６と、記録媒体を記録手段と対向する位置へ給紙する給紙部ユニット４９と、をベースユニット２１に対して位置決めして支持する。【選択図】                図１
2005349779.tif 000002
【特許請求の範囲】
【請求項１】
記録媒体を搬送するための搬送ローラと、該搬送ローラに従動して回転するピンチローラと、記録手段と対向する位置で記録媒体を支持するプラテンと、記録手段を搭載して往復移動するキャリッジと、記録媒体を記録手段と対向する位置に給紙する給紙部ユニットと、を備える記録装置において、
前記キャリッジ及び前記ピンチローラを支持する記録部ユニットと、前記搬送ローラと、前記プラテンと、前記給紙部ユニットと、をそれぞれベースユニットに対して位置決めして支持することを特徴とする記録装置。
【請求項２】
前記給紙部ユニットは、前記記録部ユニットの後方から該記録部ユニットへ記録媒体を給紙する第１の給紙ユニットと、前記記録部ユニットの下後方から該記録部ユニットへ記録媒体を給紙する第２の給紙ユニットと、を有することを特徴とする請求項１に記載の記録装置。
【請求項３】
前記第１の給紙ユニットは、記録媒体を給紙する第１の給紙ローラと、該第１の給紙ローラを位置決め支持する第１の給紙ユニット支持ベースと、を有し、
前記第２の給紙ユニットは、記録媒体を給紙する第２の給紙ローラと、該第２の給紙ローラの記録媒体搬送方向の下流側に位置する第１の中間ローラと、該第１の中間ローラの記録媒体搬送方向の下流側に位置し前記搬送ローラの記録媒体搬送方向の上流側に位置する第２の中間ローラと、前記第２の給紙ローラと前記第１の中間ローラと前記第２の中間ローラを支持して位置を決める第２の給紙ユニット支持ベースと、を有することを特徴とする請求項２に記載の記録装置。
【請求項４】
前記搬送ローラを支持する前記ベースユニットの２箇所の支持部の記録媒体搬送方向と直交する軸線と、前記第２の給紙ユニット支持ベースを支持する前記ベースユニットの２箇所の支持部の記録媒体搬送方向と直交する軸線と、が互いに平行に位置決めされて支持固定されていることを特徴とする請求項３に記載の記録装置。
【請求項５】
前記ベースユニットに支持される第２の給紙ユニット支持ベースの２箇所の支持部の記録媒体搬送方向と直交する軸線と、前記第２の給紙ローラの取り付け軸線と、が互いに平行に位置決めされて支持固定されていることを特徴とする請求項３又は４に記載の記録装置。
【請求項６】
前記ベースユニットに支持される第２の給紙ユニット支持ベースの２箇所の支持部の記録媒体搬送方向と直交する軸線と、前記第２の中間ローラの記録媒体搬送方向と直交する軸線と、が互いに平行に位置決めされて支持固定されていることを特徴とする請求項３〜５のいずれか１項に記載の記録装置。
【請求項７】
前記第１の中間ローラの記録媒体搬送方向と直交する軸線と、前記第２の中間ローラの記録媒体搬送方向と直交する軸線と、が互いに平行に位置決めされて支持固定されていることを特徴とする請求項３〜６のいずれか１項に記載の記録装置。
【請求項８】
前記ベースユニットに支持される第２の給紙ユニット支持ベースの２箇所の支持部の記録媒体搬送方向と直交する軸線と、前記第１の給紙ユニット支持ベースの支持部の記録媒体搬送方向と直交する軸線と、が互いに平行に位置決めされて支持固定されていることを特徴とする請求項３〜７のいずれか１項に記載の記録装置。
【請求項９】
前記第１の給紙ユニット支持ベースの支持部の記録媒体搬送方向と直交する軸線と、前記第１の給紙ローラの記録媒体搬送方向と直交する軸線と、が互いに平行に位置決めされて支持固定されていることを特徴とする請求項３〜８のいずれか１項に記載の記録装置。
【請求項１０】
前記搬送ローラは一端を前記ベースユニットに支持され、他端を該ベースユニットに位置決めされたシャーシ部材に支持され、
該シャーシ部材の搬送ローラの支持部と該シャーシ部材のベースユニット取り付け部と該ベースユニットの搬送ローラの支持部とが、記録媒体搬送方向と直交する同一軸線に位置決めされることを特徴とする請求項１〜９のいずれか１項に記載の記録装置。
【請求項１１】
前記プラテンは前記ベースユニットのベース部材に支持されて位置決めされることを特徴とする請求項１〜１０のいずれか１項に記載の記録装置。
【請求項１２】
前記プラテンは、記録媒体の前記記録手段の方向への浮きを規制する紙端ガイド部材を有することを特徴とする請求項１から１１のいずれか１項に記載の記録装置。
【請求項１３】
前記ベースユニットは樹脂成形部品から成るベース部材を有することを特徴とする請求項１〜１２のいずれか１項に記載の記録装置。
【請求項１４】
前記プラテンは電荷を保持しにくい樹脂成形部品から成ることを特徴とする請求項１〜１３のいずれか１項に記載の記録装置。
【請求項１５】
前記記録手段はインクを吐出して記録するインクジェット記録手段であることを特徴とする請求項１〜１４のいずれか１項に記載の記録装置。
【発明の詳細な説明】
【技術分野】
【０００１】
本発明は、搬送ローラにより搬送される記録媒体に対し、搬送方向と交差する方向に移動する記録手段により記録を行う記録装置に関する。
【背景技術】
【０００２】
プリンタあるいは複写機やファクシミリなどの記録装置は、記録ヘッド等の記録手段により記録媒体に記録するように構成されている。記録装置の一形態として、搬送機構により副走査方向に搬送される記録媒体に対し、主走査方向に移動するキャリッジに搭載された記録手段により記録を行うシリアル型の記録装置が用いられている。前記記録媒体としては、記録紙、プラスチック薄板、ＯＨＰシート、布など種々の材質のシート材を使用することができる。記録手段の記録方式としても、感熱式、熱転写式、インクジェット式、レーザービーム式、ワイヤドット式など種々の記録方式が知られている。中でも、記録手段から記録媒体へインクを吐出して記録を行うインクジェット記録装置は、高速低騒音で記録することができ、低ランニングコスト使用することができ、さらに、装置の小型化が容易であり、カラー記録も容易であるなどの利点を有している。
【０００３】
記録装置において、記録媒体を搬送する機構、記録媒体上への記録を行う機構、記録完了後の記録媒体を装置外へ排紙する機構などの構成は、例えば特開２００１−２４６７５９などに開示されている。図１５は従来の記録装置の構成を示す模式的側面図であり、図１６は従来の記録装置の構成を示す模式的斜視図である。以下の説明では、記録装置で排紙トレーが設けられた側を前方とし、前方から見て左側を記録装置の左側とする。図１５及び図１６において、プリンタユニット（記録部ユニット）５２０は、ボトムケース５１９と、全体としてコの字状のシャーシ５０１とを備えている。
【０００４】
シャーシ５０１は、板状部材で構成され、ほぼ直角方向に延びる後方壁と該後方壁の両側部を折り曲げた両側壁とを有する。シャーシ５０１はボトムケース５１９の上に固定されている。シャーシ５０１の両側壁の間にはガイドシャフト５０４が支持されている。ガイドシャフト５０４は、その左右端部に不図示のシャフトカムが固定され、これらのシャフトカム５４０を介してシャーシ５０１に支持されている。
記録ヘッド５０８を搭載したキャリッジ５０６は、ガイドシャフト５０４に沿って往復移動可能に案内支持されている。前記シャフトカムはシャーシ５０１に対して回転可能に支持され、該シャフトカム５４０を回転することによりガイドシャフト５０４を垂直方向に変位させることができる。ガイドシャフト５０４を変位させて記録ヘッド５０８の高さを変化させることにより、記録ヘッドと記録媒体との間の隙間が調整される。
【０００５】
キャリッジ５０６は、平行に配置されたガイドシャフト５０４とシャーシ５０１のガイド部とによって案内支持されており、不図示のキャリッジモータを駆動することにより駆動ベルト５１０を介して往復移動させられる。記録ヘッド５０８は、キャリッジ５０６に対して吐出口面を下方に突出させて搭載されている。キャリッジ５０６の後側の面には、記録ヘッド５０８を制御する基板５３４が固定されている。シャーシ５０１の後壁の前面にはエンコーダ５０７が配設されている。このエンコーダ５０７のコードをキャリッジ５０６のセンサによって読み取ることで該キャリッジ５０６の位置が検出される。キャリッジ５０６の位置信号は、キャリッジ５０６や記録ヘッド５０８の制御に利用される。
【０００６】
ボトムケース５１９の上に自動給紙部５１７が設けられている。自動給紙部５１７には圧板５２６と給紙トレー５２７が斜め上方へ立ち上がる姿勢で設けられており、これらの上に複数枚の記録媒体５２４が積載される。圧板５２６は、その上部をボトムケース５１９上に設けられたＡＳＦベース５２５に回動可能に取り付けられ、該圧板５２６の下端部が前方に向かう方向にばね力によって回転付勢されている。この圧板５２６によって、積載された記録媒体５２４の下端部を給紙ローラ５２８に押し付けることができる。
【０００７】
この給紙ローラ５２８はＡＳＦベース５２５に回転可能に軸支されている。給紙ローラ５２８と対向する位置には、記録媒体を分離するための分離ローラ５２９が配置されている。給紙ローラ５２８は、記録開始動作時に不図示の駆動源により駆動されることで記録媒体５２４を給送する。圧板５２６は、不図示のカムによって給紙ローラ５２８と連動し、給送時には記録媒体５２４を給紙ローラ５２８に押し付け、待機時には下端部が後方に向かう方向に強制的に押し戻される。従って、待機状態では記録媒体５２４を圧板５２６上に自由に載置したり取り外すことができ、載置された記録媒体５２４はその下端がＡＳＦベース５２５に設けられたリブに当接している。
【０００８】
給紙の際、分離ローラ５２９は、給紙ローラ５２８とのニップ部に複数枚の記録媒体５２４が入り込んだ場合に、該分離ローラ５２９側の記録媒体５２４がそれ以上進まないように作用する。これによって、自動給紙部５１７からは記録媒体５２４が１枚ずつ分離されて給紙される。給紙された記録媒体５２４は、記録領域の上流側に配設された搬送ローラ５０２とピンチローラ５０３のニップ部へ送り込まれる。搬送ローラ５０２は、シャーシ５０１の両側壁の軸受５１２によって軸支されている。ピンチローラ５０３は、ピンチローラホルダ５１３の一端部に回転自在に軸支され、搬送ローラ５０２にばね付勢力で押し付けられている。
【０００９】
搬送ローラ５０２は不図示のＬＦモータにより回転駆動され、記録媒体は搬送ローラ５０２の回転によってキャリッジ５０６の主走査方向と交差する副走査方向に搬送される。記録ヘッド５０８の吐出口面と対向する位置には、シャーシ５０１の両側壁間に支持されたプラテン５１６が配設されており、プラテン５１６によって支持された記録媒体に対して記録が行われる。プラテン５１６の前方には排紙ローラ５１１が配設されており、該排紙ローラ５１１に向かって拍車５１４がばね付勢されている。排紙ローラ５１１は、プラテン５１６の一部に軸支されており、ＬＦモータにより搬送ローラ５０２と連動して駆動される。排紙ローラ５１１と拍車５１４によって送り出される記録媒体は、装置前面に装着された排紙トレー５１８上に排出される。排紙トレー５１８は、記録媒体５２４がプラテン５１６上を通って搬送される通紙面の高さまで、前方に向かって斜め上方に延びている。
【００１０】
キャリッジ５０６の移動経路において、右端はホームポジションに選定されており、その下方には回復機構部５１５が配設されている。この回復機構部５１５は、記録ヘッド５０８のインク吐出性能を維持回復するための機構部であり、記録ヘッド５０８の吐出口を覆うためのキャップと該キャップ内を負圧にするための吸引ポンプから成る吸引回復手段を備えている。この吸引回復手段は、吐出口から所定量のインクを吸引することによって、吐出口内に混入したゴミや乾燥して粘度が高くなったインクや気泡などを排出し、それによって吐出口の目詰まりを無くすためのものである。また、上記吸引回復手段は、吐出口内にインクを良好に充填するためにも使用される。また、回復機構部５１５には、吐出口面に付着したインクやゴミ等の異物を拭き取り除去するためのワイピング手段も設けられている。
【００１１】
以上の記録装置において、キャリッジ５０６を支持する記録部ユニット５２０は、ボトムケース５１９に対して位置決めされて支持固定されている。自動給紙部５１７は、記録部ユニット５２０に対し、位置決めされて支持固定されている。搬送ローラ５０２及び排紙ローラ５１１を支持するプラテン５１６は、記録部ユニット５２０に対し、位置決めされて支持固定されている。
【特許文献１】特開２００１−２４６７５０号公報
【発明の開示】
【発明が解決しようとする課題】
【００１２】
上述の従来技術の構成では、記録を行う機構、記録媒体５２４の搬送機構、排紙機構は、全て、それらを構成する部材の大部分が記録部ユニット５２０に組み込まれている。従って、記録部ユニット５２０のシャーシ５０１には、これらに必要な部材を支持するために大きな負荷がかかる。このシャーシ５０１の強度及び剛性が不十分であれば、記録媒体５２４への記録位置に乱れが生じるなど、記録品位に悪影響が生じることが考えられる。従って、シャーシ５０１は、十分に高い強度及び剛性を有するように構成する必要があり、このことが装置コストの増大の一因となっている。
【００１３】
本発明は上記の技術的課題に鑑みてなされたものであり、本発明の目的は、記録装置を構成する各部材を精度良く位置決め支持して記録画像の高品位化を図ることができ、シャーシに加わる荷重負荷を低減することでコストダウンを図ることができる記録装置を提供することである。
【課題を解決するための手段】
【００１４】
本発明は、上記目的を達成するため、記録媒体を搬送するための搬送ローラと、該搬送ローラに従動して回転するピンチローラと、記録手段と対向する位置で記録媒体を支持するプラテンと、記録手段を搭載して往復移動するキャリッジと、記録媒体を記録手段と対向する位置に給紙する給紙部ユニットと、を備える記録装置において、前記キャリッジ及び前記ピンチローラを支持する記録部ユニットと、前記搬送ローラと、前記プラテンと、前記給紙部ユニットと、をそれぞれベースユニットに対して位置決めして支持することを特徴とする。
【発明の効果】
【００１５】
本発明によれば、記録装置を構成する各部材を精度良く位置決め支持して記録画像の高品位化を図ることができ、シャーシに加わる荷重負荷を低減することでコストダウンを図ることができる記録装置が提供される。
【発明を実施するための最良の形態】
【００１６】
以下、図面を参照して本発明の実施形態を具体的に説明する。なお、各図面を通して同一符号は同一又は対応部分を示すものである。以下に、本発明の一実施形態を、記録装置がインクジェット記録装置である場合を例に挙げて説明する。図１は本発明の一実施形態に係る記録装置の記録部ユニットと給紙部ユニットとベースユニットとの組み立て体を示す斜視図であり、図２は図１の組み立て体の記録部ユニットとベースユニットを分離した状態で示す分解斜視図である。図３は本発明の一実施形態に係る記録装置の構成を示す模式的側面図である。図４は本発明の一実施形態に係る記録装置のベースユニットと給紙部ユニットとの組み立て体を後方から見た斜視図であり、図５は図４のベースユニットと給紙部ユニットとの組み立て体を前方から見た斜視図である。図６は本発明の一実施形態に係る記録装置のベースユニットと搬送ローラ及びプラテンとの組み立て体の斜視図であり、図７は図６の組み立て体の平面図である。
【００１７】
図８は本発明の一実施形態に係る記録装置の記録部ユニットとベースユニットとメインケースユニットとの組み立て体の斜視図であり、図９は図８の組み立て体においてメインケースユニットを分離した状態を示す分解斜視図である。図１０は図１の記録装置において記録手段及びインクタンクを搭載したキャリッジがホームポジションに位置する状態を示す模式的部分斜視図である。図１１は図１の記録装置の記録部ユニットにおける記録隙間調整機構を示す斜視図である。図１２は図１の記録装置の回復機構部の構成を示す模式的部分斜視図であり、図１３は図１２の回復機構部の負圧発生手段の構成を示す模式図である。図１４は本発明の一実施形態に係る記録装置の搬送機構部及び回復機構部の駆動系を示す部分斜視図である。
【００１８】
図１〜図１４において、本発明の一実施形態に係る記録装置は、主な構成要素としての記録部ユニット２０、ベースユニット２１、給紙部ユニット４９及びメインケースユニット２２を備えており、これらの構成要素はビス等の締結手段や軸と孔との位置決め嵌合手段などによって互いに固定されている。図１は記録部ユニット２０と給紙部ユニット４９とベースユニット２１との組み立て体を示し、図２は図１中の記録部ユニット２０とベースユニット２１を分離した状態で示し、図３は記録装置の構成を側面から見て模式的に示し、以下の説明では、排紙トレー１８（図３）が設けられた側を前方とし、前方から見て左側を左側とする。
【００１９】
図２に示すように、記録部ユニット２０は、板状の部材から構成され、鉛直方向に立ち上がるように配置された後壁を有し、この後壁の上端、下端及び右端が前方に向かって折り曲げられ、全体としてほぼ箱状の形状を有するシャーシ１を備えている。シャーシ１の下端には、下端を折り曲げられ略Ｌ字状の断面形状を有するレール部材５０が、記録媒体の記録面に対して概ね垂直方向に移動可能であり、任意の位置でビス等により固定されている。シャーシ１の上端部とレール部材５０の下端の折り曲げられた部分は、それぞれキャリッジ６とのガイド部４、５１を構成している。すなわち、キャリッジ６は、その上端部と下端部にガイド部４、５１との係合部５２、５３を有し、係合した状態で左右方向に摺動可能に支持されている。
【００２０】
キャリッジ６上には、図１０に示すように記録手段としての記録ヘッド８を搭載可能である。レール部材５０を記録媒体の記録面と概略垂直方向に移動して任意の調整位置で固定することにより、記録ヘッド８の吐出口面と記録媒体の記録面との距離（紙間）を所望の値に設定することが可能である。紙間が小さければ、記録媒体の記録面へのインクの着弾位置が安定するため、画像品位は向上する。しかしながら、あまりに近くになると、記録ヘッドと記録媒体とが擦れてしまい、画像汚れが発生してしまう。紙間を管理することにより安定した記録品位を得ることができる。
【００２１】
レール部材５０の移動は不図示のレール移動手段の偏心カムと左右２箇所のカム部６８を当接させて行う。不図示のレール移動手段の偏心カムを例えば時計回りに回転することでレール部材は記録媒体の記録面から遠ざかる方向に移動し、レール移動手段の偏心カムを反時計回りに回転することでレール部材５０は記録媒体の記録面に接近する方向に移動する。つまり、レール部材５０はキャリッジ走査方向に対し位置を規制されたまま記録媒体に対して概ね垂直に移動可能である。また、作業者が習熟している場合は、記録隙間の調整はレール部材５０の左右端にある手がかり部７０を手動により移動しても良い。
【００２２】
キャリッジ６には、シャーシ１の後壁の前面の左右端部に回転可能に軸支された両プーリに掛けられた環状の駆動ベルト１０が連結されている。前記プーリと駆動ベルト１０には互いに噛み合う歯が設けられている。右側のプーリは右側に向かって付勢力が加えられており、駆動ベルト１０この付勢力によって所定の張力が加えられている。左側のプーリはキャリッジモータ１０４（図１参照）の出力軸に固定されている。従って、キャリッジ６は、キャリッジモータ１０４を駆動することによって、その駆動力が前記プーリ及び駆動ベルト１０を介して伝達され、左右方向に往復移動させられる。
【００２３】
左側のプーリの左側には、該プーリの外周面を所定の間隔をあけて囲むベルトストッパ３２が、シャーシ１から前方に突出して設けられている。ベルトストッパ３２は、過負荷時などに駆動ベルト１０がプーリの外周面から浮き上がって歯飛びが生じることを防止するものである。このベルトストッパ３２は、キャリッジ６が左側に動き過ぎた場合に、該キャリッジ６の一部に当接するように構成されている。従って、キャリッジ６が暴走した場合でも、通常の主走査移動の範囲を超えて移動することを防止するストッパとして機能する。
【００２４】
図１０は図１の組み立て体においてキャリッジがホームポジションに位置するときの状態を示す模式的部分斜視図である。キャリッジ６上には、図３及び図１０に示すように記録ヘッド８が搭載される。記録ヘッド８は、熱エネルギーを発生する素子としての複数の電気熱変換体と、該電気熱変換体上を通って下方に開口する複数の吐出口に連通する複数の液路（ノズル）を備え、熱エネルギーにより液体を膜沸騰させて気泡を発生、成長、収縮させ、その際に生じる圧力変化を利用して吐出口から液体を吐出するものである。
【００２５】
本実施形態では、キャリッジ６のホームポジション（ＨＰ）は右端部に設定されており、それより左側の記録媒体２４の搬送経路上が記録領域になっている。記録ヘッド８には、ホームポジションに位置する状態で、記録領域に遠い方から、ブラック（ＢＫ）インクを保持するインクタンク９ＢＫとカラー（ＣＬ）の各色のインクを保持するインクインク９ＣＬが搭載されている。各色のインクとしては、例えば、シアン、マゼンタ及びイエローのインクが使用される。これに対応して、記録ヘッド８には、図示していないが、各色のインクを保持するインクタンクから各色のインクが供給される複数のインク供給口と、供給された各色のインクを吐出する複数の吐出口列が配置されている。この吐出口列の配置は、ＨＰにある状態で記録領域に遠い側からＢＫ用、ＣＬ用の順になっている。
【００２６】
記録ヘッド８には各電気熱変換体に接続された配線とコネクタとが設けられており、このコネクタがキャリッジ６に接続されて記録装置本体側と電気的に接続される。キャリッジ６の背面には、このように記録ヘッド８と接続されかつフレキシブルケーブルを介して記録装置本体側と接続され、記録ヘッド８の動作を制御するための回路が組み込まれた基板３４（図３参照）が配設されている。
【００２７】
シャーシ１の後壁１Ａの前面にはエンコーダ７（図２）が配設されている。このエンコーダ７とキャリッジ６上の基板３４に設けられたセンサとによって、キャリッジ６の位置が検出される。こうして検出されたキャリッジ６の位置信号は、キャリッジ６や記録ヘッド８の動作制御に利用される。エンコーダ７は、精度良く所定の位置に位置するように、左側へ向かって付勢された状態で配設されている。シャーシ１の下端部には、一端にピンチローラ３を回転可能に軸支したピンチローラホルダ１３が他端部を中心に回動可能に軸支されている。ピンチローラホルダ１３は、ピンチローラ３が下方に向かう方向に回転付勢されている。
【００２８】
ベースユニット２１は、記録装置を設置する際の支持面を下面とするベース部材１９（図３参照）を有している。ベース部材１９上の後端には給紙部ユニット４９が位置決めされて配設されている。給紙部ユニット４９は、第１の給紙ユニットであるＡＳＦ給紙ユニット５４と第２の給紙ユニットであるＰＦ給紙ユニット５５とを備えている。これらＡＳＦ給紙ユニット５４とＰＦ給紙ユニット５５は、２枚の側板、すなわちＬ（左）シャーシ部材５６及びＲ（右）シャーシ部材５７に軸と孔の嵌合により平行性を保つべく精度良く位置決めされ、挟持されている。さらに、給紙部ユニット４９は第２の給紙ユニットであるＰＦ給紙ユニット５５のＰＦベース６５の孔とベース部材１９の軸との嵌合により、搬送ローラ２と平行性を保つべく精度良く位置決めされいる。ここでの平行性は、記録媒体の搬送方向に対して直角方向の平行性である。
【００２９】
ＡＳＦ給紙ユニット５４とＰＦ給紙ユニット５５の左側面にはＬ（左）シャーシ部材５６がビスによりＰＦベース６５に対し位置決め固定されている。ＡＳＦベース２５はＬシャーシ部材５６に位置決めされる。ＡＳＦベース２５に対しては、ビスによる固定はない。ＡＳＦ給紙ユニット５４とＰＦ給紙ユニット５５の右側面にはＲシャーシ５７がビスによりＰＦベース６５に対し位置決め固定されている。ＡＳＦベース２５もまた、Ｒシャーシ５７にビスにより位置決めされ固定されている。
【００３０】
図４に示すように、ＰＦベース６５の底面には、ベース１９に対する位置決めを行う孔６０１と長孔６０２が設けられ、ベース１９には図５に示すように位置決め軸６０３、６０４が設けられている。図７において、位置決め軸６０３、６０４を通る直線で形成される記録媒体搬送方向に対し直角方向の軸線Ｂと後述する搬送ローラ２の取り付け軸線Ｇとの平行性は、例えば平行度０．１以下で管理されている。図３及び図４に示すように、ＰＦベース６５には、第１の中間ローラ５８と第２の中間ローラ６０５とＰＦ給紙ローラ６４とが回転可能に軸支されている。ここで、ＰＦベース６５のそれぞれのローラ類の取り付け精度は、ＰＦベース６５の軸線Ｂと第２の中間ローラ６０５の取り付け軸線Ｎ（図４）の平行性と、第２の中間ローラ６０５の取り付け軸線Ｎと第１の中間ローラ５８の取り付け軸線Ｄの平行性と、第２の中間ローラ６０５の取り付け軸線ＮとＰＦ給紙ローラ６４の取り付け軸線Ｅの平行性は、例えば平行度０．１以下で管理されている。
【００３１】
ＰＦベース６５とＡＳＦベース２５の記録媒体搬送方向に対し直角方向の取り付け軸線は、左側のＬシャーシ５６と右側のＲシャーシ５７を介して管理され、ＰＦベース６５の軸線ＢとＡＳＦベース２５に軸支されるＡＳＦ給紙ローラ２８の取り付け軸線Ｆとの平行性は、ある範囲内で管理されている。ＡＳＦ給紙ユニット５４には、ＡＳＦ圧板２６とＡＳＦ給紙トレー２７が、後方に向かって斜めに立ち上がるように設けられており、これらの上に複数枚の記録媒体２４が載置される。ＡＳＦ圧板２６は、ＡＳＦベース２５に、ＡＳＦ圧板２６の上端部の回りで回転可能に取り付けられ、下端部が前方に向かう方向（図３の時計回り方向）に、不図示のばねによって回転付勢されている。
【００３２】
このようにばね付勢されるＡＳＦ圧板２６によって、該圧板上の記録媒体２４の下端部が押し付けられる位置に第１の給紙ローラ（ＡＳＦ給紙ローラ）２８が配置されている。ＡＳＦ給紙ローラ２８は両端部で第１の支持ベース（ＡＳＦベース）２５に軸支されている。ＡＳＦ給紙ローラ２８の一方の端部にはＡＳＦ給紙ローラギア３０（図２）が取り付けられている。ＡＳＦ給紙ローラギア３０は、後述する第１の中間ローラ５８の回転軸に他のギアなどを介して接続されており、従って、第１の中間ローラ５８を駆動するＰＦモータ５９によって回転駆動される。ＡＳＦ給紙ローラ２８に対向する位置にはＡＳＦ分離ローラ２９（図３）が配置されている。分離ローラ２９は、不図示の付勢手段によってＡＳＦ給紙ローラ２８に向かって付勢されている。
【００３３】
ＡＳＦ給紙ローラ２８は、記録動作開始後、回転駆動されて記録媒体２４を給送する。ＡＳＦ圧板２６は、ＡＳＦベース２５に軸支された不図示のコントロールカム（不図示）によって、ＡＳＦ給紙ローラ２８と連動するように構成されている。これによって、ＡＳＦ圧板２６は、給送時には前述のばね付勢力によって記録媒体２４をＡＳＦ給紙ローラ２８に押し付け、待機時には、付勢力に抗して下端部が後方に向かう方向に押し戻される。従って、待機状態では、記録媒体２４をＡＳＦ圧板２６上に自由に載置したり取り外すことができる。記録媒体２４はその下端がＡＳＦベース２５に設けられたリブに当接した状態で保持される。
【００３４】
給紙時、ＡＳＦ分離ローラ２９は、ＡＳＦ給紙ローラ２８との間にニップに複数枚の記録媒体２４が入り込んだ場合、ＡＳＦ分離ローラ２９側の記録媒体２４がそれ以上進まないようにする働きをする。したがって、記録媒体２４は１枚ずつ分離されて給紙される。これらＡＳＦベース２５、ＡＳＦ圧板２６、ＡＳＦ給紙ローラ２８、ＡＳＦ分離ローラ２９などによって、第１の給紙ユニットであるＡＳＦ給紙ユニット５４が構成されている。
【００３５】
次に、主として図３を参照して、第２の給紙ユニットであるＰＦ給紙ユニット５５について説明する。ベースユニット２１には、ＰＦ圧板６１とＰＦ給紙トレー６２が、ベース底面とほぼ平行に設けられており、これらの上に複数枚の記録媒体６３が載置される。ＰＦ圧板６１は、ベース１９に、ＰＦ圧板６１の前端部回りに回転可能に取り付けられ、後端部が上方へ向かう方向（図３中の反時計回り方向）に、不図示のばねによって回転付勢されている。このように回転付勢されるＰＦ圧板６１によって、載置された記録媒体６３の後端部が押し付けられる位置には、第２の給紙ローラであるＰＦ給紙ローラ６４が配置されている。
【００３６】
ＰＦ給紙ローラ６４は、両端を、第２の給紙ユニット支持ベースであるＰＦベース６５に軸支されている。ＰＦ給紙ローラ６４の一方の端部には、ＰＦ給紙ローラギア６６が取り付けられている。ＰＦ給紙ローラギア６６は、ＰＦ給紙ローラ６４の記録媒体搬送方向下流側に位置する第１の中間ローラ５８の回転軸に他のギアなどを介して接続されており、従って、第１の中間ローラ５８を駆動するＰＦモータ５９によって回転駆動される。また、第１の中間ローラ５８の記録媒体搬送方向の下流側にであって搬送ローラ２の記録媒体搬送方向の上流側の位置には第２の中間ローラ６０５が配置されている。第２の給紙ユニット５５内には、第１及び第２の２つの中間ローラ５８、６０５によって図３に示すような記録媒体６３の搬送方向及び表裏を反転させるＵターン搬送路が形成されている。
【００３７】
ＰＦ給紙ローラ６４に対向する位置にはＰＦ分離ローラ６７が配置されている。ＰＦ分離ローラ６７は不図示の付勢手段によってＰＦ給紙ローラ６４に向けて付勢されている。記録動作開始時、ＰＦ給紙ローラ６４を回転駆動することにより記録媒体６３が給送される。ＰＦ圧板６１は、ＰＦベース６５に軸支されており、不図示のコントロールカムによってＰＦ給紙ローラ６４と連動するように構成されている。これによって、ＰＦ圧板６１は、給送時には、前述の付勢力によって記録媒体６３をＰＦ給紙ローラ６４に押し付けるように作用し、待機時には、付勢力に抗して後端部が下方に向かう方向に押し戻される。
【００３８】
従って、待機状態では、記録媒体６３をＰＦ圧板６１上に自由に載置したり取り外すことができ、載置された記録媒体６３はその先端がＰＦベース６５に設けられたリブに当接した状態で保持される。給紙時、ＰＦ分離ローラ６７は、ＰＦ給紙ローラ６４とのニップに複数枚の記録媒体６３が入り込んだ場合、ＰＦ分離ローラ６７側の記録媒体６３がそれ以上進まないようにする働きをする。したがって、記録媒体６３は１枚ずつ分離されて給紙される。これらＰＦベース６５、ＰＦ給紙ローラ６４、ＰＦ圧板６１、ＰＦ分離ローラ６７、第１及び第２の中間ローラ５８、６０５などによって、第２の給紙ユニットであるＰＦ給紙ユニット５５が構成されている。
【００３９】
ＡＳＦ給紙ユニット５４またはＰＦ給紙ユニット５５によって給紙される記録媒体２４または６３の先端が到達する位置には、搬送ローラ２が配設されている。搬送ローラ２は、その一方の端部をベース部材１９に軸支され、他方の端部をベース部材１９に精度良く固定されたＬＦシャーシ６０（図１、図６、図７）に回転可能に軸支されており、また、その一方の端部にはＬＦギア３６（図２、図６）が取り付けられ、このＬＦギア３６を介してＬＦモータ（搬送モータ）３５（図２）によって回転駆動される。搬送ローラ２は、平行性を保つべくベースユニット２１に位置決めされたシャーシ部材（ＬＦシャーシ）６０に支持され、ＬＦシャーシ６０の搬送ローラの支持部と、ＬＦシャーシ６０のベースユニット取り付け部と、ベースユニット２１の搬送ローラの支持部と、は記録媒体搬送方向と直交する同一軸線に位置決めされる。
【００４０】
搬送ローラ２には、シャーシ１の下端に取り付けられたピンチローラ３が当接される。給紙された記録媒体２４または記録媒体６３の先端は搬送ローラ２とピンチローラ３との間に挟持される。往復移動されるキャリッジ６に搭載された記録ヘッド８の吐出口面に対向する位置にプラテン１６が配設されている。プラテン１６の下流には排紙ローラ１１が配設されている。排紙ローラ１１は、一方の端部をプラテン１６に回転可能に軸支され、他方の端部をシャーシ部材（ＬＦシャーシ）６０に回転可能に軸支されている。排紙ローラ１１に向けて付勢される拍車１４は、図８及び図９に示すようにメインケースユニット２２に軸支されている。
【００４１】
排紙ローラ１１は、一端がＬＦシャーシ６０に、他端がプラテン１６に支持され、アイドルギア２３（図２）を介して搬送ローラ２の回転軸に接続されており、搬送ローラ２と連動して回転駆動される。搬送ローラ２とアイドルギア２３と排紙ローラ１１と不図示の駆動源は、１枚の側板であるＬＦシャーシ６０を介して精度良く支持されて搬送シャーシユニットを構成しており、かかる構成において駆動を伝達することで搬送精度の向上に寄与している。
【００４２】
プラテン１６には記録媒体６３の記録基準側の端部がめくれ又は反りによる浮き上がりを規制するための紙端ガイド部材である紙押え板６０６（図１４）が取り付けられている。紙押え板６０６は略Ｌ字形状をしており、紙押え面に対し垂直であるプラテン１６の側面に位置決めされて取り付けられている。紙押え板６０６は弾性のある材料から成っていることが好ましい。例えば、記録紙が記録中に詰まったりした場合に、ユーザーが記録紙を取り除こうとして紙端ガイド部材６０６（図１４）の紙押え面が無理やり持ち上げられても、紙押え板（紙端ガイド部材）６０６は、撓んで、記録紙が取り除かれた後に、正規の位置に復帰可能になっている。前述するように、プラテン１６の側面で位置決めされることにより、紙押え面からの弾性を得るのに十分な距離が確保されている。
【００４３】
排紙ローラ１１と拍車１４の間に噛み込んだ記録媒体は、排紙ローラ１１の回転によって排紙される。記録装置の前部には、ベース１９に取り付けられた排紙トレー１８が設けられている。ベースユニット２１には、記録ヘッド８のインク吐出性能を維持回復するための回復機構部１５が配設されている。この回復機構部１５は、ホームポジションに位置するキャリッジ６の下方に配置されている。
【００４４】
回復機構部を拡大して示す図１２において、回復機構部１５には、キャリッジ６の移動に追従して移動可能なキャップスライダ１２３が設けられている。キャップスライダ１２３に取り付けられたキャップホルダ１２２には、キャップ１１２、１１３が上方に向かって開口した状態で保持されている。キャップ１１２、１１３はゴム状弾性材の成型品で形成されている。また、キャップスライダ１２３には、記録ヘッド８の吐出口面を拭き取り清掃（ワイピング）するためのワイパー１１８、１１９も取り付けられている。ワイパー１１８、１１９は、キャップスライダ１２３から上方に向かって立ち上がるように配置されている。このワイパー１１８、１１９はゴム状弾性材から成るブレード状の部材で形成されている。
【００４５】
キャップスライダ１２３は、図示右側に向かって段階的に高くなった４箇所のカム部１２４のカム面（上縁）に当接するように、不図示のばねなどの付勢手段によって図示の下方にかつ左側に向かって付勢されている。キャップスライダ１２３の右端部には、ホームポジションへと移動してくるキャリッジ６の一部に当接する位置まで上方に向かって延びている突き当て部１２５が設けられている。従って、キャリッジ６がホームポジションへと右に移動してくると、キャップスライダ１２３も追従して右へ移動させられる。その際、キャップスライダ１２３は、各カム部１２４の傾斜上端縁に沿って摺動し、各カム部１２４のカム作用によって上方へ移動（変位）させられる。また、このキャリッジ６の移動に伴って、ワイパー１１８、１１９が記録ヘッド８の吐出口面のワイピングが行われる。
【００４６】
左側のワイパー１１８がカラーインク用で、右側のワイパー１１９がブラックインク用である。すなわち、ワイパー１１８、１１９の各々は、キャップスライダ１２３の移動に伴って、それぞれ、記録ヘッド８のブラックインク用の吐出口列、カラーインク用の吐出口列の周辺をワイピングできるように、キャップスライダ１２３に位置決めされて取り付けられている。これによって、各ワイパー１１８、１１９は、記録ヘッド８の吐出口面に、所定のワイパー侵入量、当接角度及び当接圧で当接するようになっている。
【００４７】
また、キャリッジ６がホームポジションまで移動すると、キャップ１１２、１１３が記録ヘッド８の吐出口面に当接させられ、吐出口を覆うキャッピング状態になる。このとき、キャップホルダ１２２は、キャップ１１２、１１３が均一に吐出口面に密着するように、キャップスライダ１２３に所定の範囲内で揺動可能に軸支されるとともに上方に向かって不図示のキャップばねによって付勢されている。キャップ１１２、１１３は、左側のキャップ１１２がカラー吐出口列用であり、右側のキャップ１１３がブラック吐出口列用である。また、キャップ１１２、１１３はチューブ等を介して吸引ポンプ等の負圧発生手段に接続されている。
【００４８】
図１３は回復機構部１５の負圧発生手段としてのポンプユニット１２０の構成を示す説明図である。キャップホルダ１２２を通って延びる吸引チューブ１４５（カラーインク用）及び１５０（ブラックインク用）を介して各キャップ１１２、１１３に接続されている。ポンプユニット１２０は、回復系ベース１３０に形成された加圧ガイド１３０Ａとなる半円筒形の底面を有する溝内に、該底面と同心に回転可能に軸支されたコロホルダ１４４を備えている。コロホルダ１４４は、加圧ガイド１３０Ａとの間に所定の隙間をあけて位置する円柱状の外周面を有する。コロホルダ１４４の外周面と加圧ガイド１３０Ａとの間の前記隙間を通して吸引チューブ１４５、１５０が挿通されている。各吸引チューブ１４５、１５０のキャップ１１２、１１３と反対側の端部は、ベース１９内に配設された廃インク吸収体４０１に接続されている。
【００４９】
コロホルダ１４４には円柱形のコロ１４７が軸支されている。このコロ１４７の外周面はコロホルダ１４４の外周面からはみ出している。コロホルダ１４４は不図示のギアを介してポンプ駆動源を兼ねたＬＦモータ（搬送モータ）３５に接続されており、必要に応じて図１３中の矢印で示すように時計回り方向に回転駆動される。このようにコロホルダ１４４が回転すると、コロ１４７によって吸引チューブ１４５、１５０が加圧されて潰される。この際、吸引チューブ１４５、１５０の潰される部位は、コロホルダ１４４の回転に応じてキャップ１１２、１１３側の部分から離れる方向へ移動していく。このように吸引チューブ１４５、１５０がしごかれることによって、キャップ１１２、１１３内に負圧が発生する。
【００５０】
ポンプユニット１２０への駆動は、ＬＦモータ３５から搬送ローラ２を介して伝達される。図１４に示すように、搬送ローラ２のキャリッジホームポジション側の端部には、搬送出力ギア６０７が圧入されており、アイドルギア６０８、ポンプギア６０９へと駆動が伝達され、ポンプユニット１２０へと至る。アイドルギア６０８にはキャリッジロックレバー６１０が軸支され、該キャリッジロックレバーはばね６１１により付勢されている。キャリッジロックレバー６１０は、ばね６１１による付勢によりアイドルギア６０８との間の摩擦力が生じ、アイドルギア６０８の回転と同方向に回転する。搬送ローラ２が逆転すると、アイドルギア６０８は正転し、キャリッジロックレバー６１０も正転する。キャリッジロックレバー６１０の一部がシャーシ１の一部と当接すると、キャリッジロックレバー６１０はキャリッジ６の移動経路内に進入した位置で止まり、その位置に保持される。
【００５１】
キャリッジ６をホームポジションに停止させた状態でキャリッジロックレバー６１０が進入位置に保持されると、キャリッジ６を不用意に記録領域に移動させようとしても、キャリッジ６の一部とキャリッジロックレバー６１０の一部が当接するため、キャリッジ６の位置をホームポジションの位置に保持することが可能となる。これによって、記録ヘッド８の吐出口をキャップによって保護することができ、記録の信頼性を向上させることができる。搬送ローラ２が正転すると、アイドルギア６０８は逆転し、キャリッジロックレバー６１０も逆転する。すると、キャリッジロックレバー６１０がキャリッジ６の移動経路外に出た状態（退避状態）となり、キャリッジ６は移動（走査）可能となり、記録可能な状態になる。
【００５２】
メインケースユニット２２（図８、図９）は、以上説明した記録部ユニット２０とベースユニット２１との組み立て体の上方と側方を覆うメインケース３３を有する。メインケース３３は前記組み立て体に対してビス等で着脱可能に締結されている。メインケース３３には拍車１４が軸支されている。この拍車１４は、メインケース３３を上記組み立て体に締結した状態で、排紙ローラ１１に対向する位置に装着されている。拍車１４は、不図示のばねなどの付勢手段によって排紙ローラ１１に向けて付勢されている。
【００５３】
メインケース３３はベース１９に対しフック及びビスにより固定される。さらに、シャーシ１の上方のガイド部（レール部）４の右端６１３（図９）の近傍は、メインケース３３のリブにより記録媒体搬送方向に対してあの程度のガタをもって挟まれることにより、幅を規制されている。このガタは０．５ｍｍ程度が望ましい。また、図９及び図１１に示すように、シャーシ１の左端部は後方に曲げられ、さらにその上端部を曲げられて形成された面の２箇所に丸孔６１２が設けられている。これらの丸孔６１２のそれぞれに対向するメインケース３３側の部位には軸が形成されており、平面方向に対しある程度のガタをもって位置規制されている。このガタは０．５ｍｍ程度が望ましい。
【００５４】
また、シャーシ１の後方の給紙部ユニット４９の右端部にあるＲシャーシ５７の上端部には曲げられて形成された面があり、その面の２箇所に丸孔６１４（図９）が設けられている。この丸孔６１４のそれぞれと対向するメインケース３３の部位（２箇所）には軸が形成されており、平面方向に対しある程度のガタをもって位置規制されている。このガタも０．５ｍｍ程度が望ましい。メインケース３３はベース１９に固定され、記録部ユニット２０のシャーシ１と給紙部ユニット４９のＲシャーシ５７とである程度のガタをもって規制されることにより、記録装置としての全体の剛性アップが図られている。
【００５５】
本実施形態に係るインクジェット記録装置は、例えばホストコンピュータに接続して用いられ、ホストコンピュータから記録指令や画像データを受信して記録動作を実行する。記録指令を受けると、載置された記録媒体２４はＡＳＦ給紙ユニット５４によって１枚ずつ分離されて給紙される。給紙された記録媒体２４は、搬送ローラ２によって所定の記録位置に送られる。その後、キャリッジ６が往復移動させられる。その際、記録ヘッド８が画像データに応じて駆動され、その吐出口から選択的にインクが吐出されて画像が記録される。
【００５６】
記録動作が行われないときには、キャリッジ６はホームポジションへと移動させられる。この際、ワイパー１１８、１１１９によって吐出口面をワイピングすることで該吐出口面上に付着したインクやゴミなどが除去される。また、記録ヘッド８の吐出口をキャップ１１２、１１３でキャッピングすることにより、吐出口からのインクの蒸発や増粘が抑制される。このキャッピング状態で、必要に応じてポンプユニット１２０を駆動することにより吐出口からインクを吸引排出し、インクと共に増粘インクや残留気泡やゴミを除去する。
【００５７】
以上説明した本実施形態の記録装置では、記録部ユニット２０と搬送ローラ２とプラテン１６と給紙部ユニット４９（第１の給紙ユニット５４及び第２の給紙ユニット５５）は、ベースユニット２１に互いの平行性を保つべく精度良く位置決めされ、支持固定されている。このため、従来技術におけるように搬送ユニットと記録部ユニットと給紙ユニットを１つの部材シャーシによって支持する場合に比べて、シャーシに加わる負荷を低減することができる。さらに、比較的簡素で、安価な構成によって、比較的高い強度及び剛性を得ることができ、安定した記録品位を得ることができる。
【００５８】
また、以上説明した実施形態においては、給紙部ユニット４９は、記録部ユニット２０後方から該記録部ユニットへ記録媒体２４を搬送する第１の給紙ユニットと、記録部ユニット２０の下方から該記録部ユニットへ記録媒体６３をＵターン通紙経路に沿って搬送する第２の給紙ユニットと、を有する構成が採られる。このような構成によれば、記録部ユニット２０と搬送ローラ２と第１の給紙ユニット５４と第２の給紙ユニット５５を全てベースユニット２１に位置決めして支持固定することができ、従来例のようにプラテンユニットと記録部ユニットと給紙ユニットを１つの部材シャーシによって支持する場合に比べて、シャーシに加わる負荷を低減することができる。
【００５９】
すなわち、本実施形態によれば、簡素で安価な構成でありながら、記録装置を構成する各ユニットを精度良く支持するベースを有し、従って、各部を精度良く動作させて精度良く記録動作を行うことができる。このような特性は、特に、記録ヘッドから記録媒体へインクを吐出して記録を行うインクジェット記録装置において強く要請される技術事項である。従って、本発明は、種々の形態の記録装置に広く適用可能であり各形態の記録装置において上記技術的課題を解決できるものであるが、その中でも、特にインクジェット記録装置において好適に実施できるものである。
【００６０】
つまり、以上の実施形態では、記録装置がインクジェット記録装置である場合を例に挙げて説明したが、本発明は、ワイヤドット式、感熱式、レーザービーム式の記録装置など、他の記録方式を用いる記録装置に対しても適用することができるものである。また、本発明は、単色記録を行う記録装置、１個または複数個の記録ヘッドを用いて複数の異なる色で記録するカラー記録装置、同一色彩で異なる濃度の複数濃度で記録する階調記録装置、さらには、これらを組み合わせた記録装置に対しても適用することができる。
【図面の簡単な説明】
【００６１】
【図１】本発明の一実施形態に係る記録装置の記録部ユニットと給紙部ユニットとベースユニットとの組み立て体を示す斜視図である。
【図２】図１の組み立て体の記録部ユニットとベースユニットを分離した状態で示す分解斜視図である。
【図３】本発明の一実施形態に係る記録装置の構成を示す模式的側面図である。
【図４】本発明の一実施形態に係る記録装置のベースユニットと給紙部ユニットとの組み立て体を後方から見た斜視図である。
【図５】図４のベースユニットと給紙部ユニットとの組み立て体を前方から見た斜視図である。
【図６】本発明の一実施形態に係る記録装置のベースユニットと搬送ローラ及びプラテンとの組み立て体の斜視図である。
【図７】図６の組み立て体の平面図である。
【図８】本発明の一実施形態に係る記録装置の記録部ユニットとベースユニットとメインケースユニットとの組み立て体の斜視図である。
【図９】図８の組み立て体においてメインケースユニットを分離した状態を示す分解斜視図である。
【図１０】図１の記録装置において記録ヘッド及びインクタンクを搭載したキャリッジがホームポジションに位置する状態を示す模式的部分斜視図である。
【図１１】図１の記録装置の記録部ユニットにおける記録隙間調整機構を示す斜視図である。
【図１２】図１の記録装置の回復機構部の構成を示す模式的部分斜視図である。
【図１３】図１２の回復機構部の負圧発生手段の構成を示す模式図である。
【図１４】本発明の一実施形態に係る記録装置の搬送機構部及び回復機構部の駆動系を示す部分斜視図である。
【図１５】従来の記録装置の構成を示す模式的側面図である。
【図１６】従来の記録装置の構成を示す模式的斜視図である。
【符号の説明】
【００６２】
１          シャーシ
１Ａ        後壁
２          搬送ローラ
３          ピンチローラ
４          ガイド部
６          キャリッジ
７          エンコーダ
８          記録手段（記録ヘッド）
９          インクタンク
１０        駆動ベルト
１１        排紙ローラ
１３        ピンチローラホルダ
１４        拍車
１５        回復機構部
１６        プラテン
１７        給紙部
１８        排紙トレー
１９        ベース部材（ベース）
２０        記録部ユニット
２１        ベースユニット
２２        メインケースユニット
２３        アイドルギア
２４        記録媒体
２５        第１の給紙ユニット支持ベース（ＡＳＦベース）
２６        ＡＳＦ圧板
２７        ＡＳＦ給紙トレー
２８        第１の給紙ローラ（ＡＳＦ給紙ローラ）
２９        ＡＳＦ分離ローラ
３０        給紙ローラギア
３１        給紙ローラ軸受
３２        ベルトストッパ
３３        メインケース
３４        基板
３５        ＬＦモータ（搬送モータ）
３６        ＬＦギア
４９        給紙部ユニット
５０        レール部材
５１        ガイド部
５４        ＡＳＦ給紙ユニット（第１の給紙ユニット）
５５        ＰＦ給紙ユニット（第２の給紙ユニット）
５６        シャーシ部材（Ｌシャーシ）
５７        シャーシ部材（Ｒシャーシ）
５８        第１の中間ローラ
６０        シャーシ部材（ＬＦシャーシ）
６１        ＰＦ圧板
６２        ＰＦ給紙トレー
６３        記録媒体
６４        第２の給紙ローラ（ＰＦ給紙ローラ）
６５        第２の給紙ユニット支持ベース（ＰＦベース）
６７        ＰＦ分離ローラ
６８        カム部
６９        ビス取り付け部
７０        手がかり部
１０４      キャリッジモータ
１１２、１１３    キャップ
１１８、１１９    ワイパー
１２０      負圧発生手段（ポンプユニット）
１２２      キャップホルダ
１２３      キャップスライダ
１２４      カム部材
１２５      突き当て部
１３０      回復系ベース
１３０Ａ    加圧ガイド
１４４      コロホルダ
１４５、１５０    吸引チューブ
１４７      コロ
４０１      廃インク吸収体
６０１      孔
６０２      長孔
６０３      位置決め軸
６０４      位置決め軸
６０５      第２の中間ローラ
６０６      紙端ガイド部材（紙押え板）
６０７      搬送出力ギア
６０８      アイドルギア
６０９      ポンプギア
６１０      キャリッジロックレバー
６１１      ばね
６１２      丸孔
６１４      丸孔
Ｂ          ＰＦベース６５をベース１９に対して位置決めする位置決め軸６０３、６              ０４で形成される軸線
Ｄ          第１の中間ローラ５８の取り付け軸線
Ｅ          ＰＦ給紙ローラ６４の取り付け軸線
Ｆ          ＡＳＦベース２５に軸支されるＡＳＦ給紙ローラ２８の取り付け軸線
Ｇ          搬送ローラ２の取り付け軸線
Ｎ          第２の中間ローラ６０５の取り付け軸線
【図１】
2005349779.tif 000003
【図２】
2005349779.tif 000004
【図３】
2005349779.tif 000005
【図４】
2005349779.tif 000006
【図５】
2005349779.tif 000007
【図６】
2005349779.tif 000008
【図７】
2005349779.tif 000009
【図８】
2005349779.tif 000010
【図９】
2005349779.tif 000011
【図１０】
2005349779.tif 000012
【図１１】
2005349779.tif 000013
【図１２】
2005349779.tif 000014
【図１３】
2005349779.tif 000015
【図１４】
2005349779.tif 000016
【図１５】
2005349779.tif 000017
【図１６】
2005349779.tif 000018